(57)【要約】【課題】確実に鋼球脱落を防止するものであって、且つ、安価で、組立性に優れたインパクト回転工具を提供する。【解決手段】アンビルが一定以上の荷重に達した場合に駆動軸の回転運動をハンマーの後退運動に変換するカム溝を駆動軸に、ハンマー溝をハンマーに、鋼球をカム溝及びハンマー溝に嵌合するように夫々設け、ハンマー後退によりアンビルとの噛合を外した後に打撃を伴ってハンマーとアンビルを噛合させるスプリングを設け、更に上記部品をハウジングで覆ったインパクト回転工具において、一定以上のハンマー後退によって鋼球がカム溝及びハンマー溝から脱落するのを防止するストッパーを、ハンマー後方に配した内装部品から該ハンマーに向けて駆動軸と平行に突設する。【選択図】図１
2006231516.tif 000002
【特許請求の範囲】
【請求項１】
アンビルがある一定以上の荷重に達した場合に駆動軸の回転運動をハンマーの後退運動に変換する為のカム溝を駆動軸に、ハンマー溝をハンマーに、鋼球を上記カム溝及びハンマー溝に嵌合するように夫々設けると共に、ハンマー後退によりアンビルとの噛合を外した後に再び打撃を伴ってハンマーとアンビルを噛合させる為のスプリングを設け、更に上記部品をハウジングで覆ったインパクト回転工具において、一定以上のハンマー後退によって鋼球がカム溝及びハンマー溝から脱落するのを防止する為のストッパーを、ハンマー後方に配した内装部品から該ハンマーに向けて駆動軸と平行に突設することで、鋼球組み込み時のハンマー位置とアンビル噛合時のハンマー位置の間にて上記内装部品と一体にストッパーを設けることを特徴とする鋼球脱落を防止したインパクト回転工具。
【請求項２】
ストッパーを、その全体でハンマー後部を受けるようなリング状に形成することを特徴とする請求項１記載の鋼球脱落を防止したインパクト回転工具。
【請求項３】
ストッパーを、スプリングの外周を囲むように形成することを特徴とする請求項１又は２記載の鋼球脱落を防止したインパクト回転工具。
【発明の詳細な説明】
【技術分野】
【０００１】
本発明はインパクト回転工具に関し、詳しくは駆動軸に設けたカム溝及びハンマーに設けたハンマー溝に組み込まれた鋼球の脱落を防止する為の技術に関する。
【背景技術】
【０００２】
インパクト回転工具とは、ねじ類を締め付け又は緩める際に用いる回転工具であって、一定以上の荷重がかかった場合には打撃を行なうことで更に強大なトルクを発生させるものである。上記機能を与える為に回転工具に用いる構成としては、本発明においても従来のものと同様の構成をとるので、以下、本発明の実施の形態を示した図２及び図３を用いて打撃を与える為の構成について説明する。
【０００３】
図２に示すように、ハウジング９内部において駆動軸４と嵌合するように環状のハンマー２を配し、上記駆動軸４には略Ｖ字状にカム溝４ａを設け、上記ハンマー２には軸方向にハンマー溝２ａを設ける。上記カム溝４ａ及びハンマー溝２ａに挿入した鋼球１を介して、駆動軸４の回転運動をハンマー２に伝達し、更に上記ハンマー２と噛合したアンビル５へと回転運動が伝達される。作業中にアンビル５にある一定以上の荷重が生じ、その回転が鈍った場合には、上記鋼球１とＶ字状のカム溝４ａの嵌合部において、カム溝４ａに略中央に位置していた鋼球１を、どちらかの溝方向に沿って押し下げる分力が生じる。ここでカム溝４ａにおける略Ｖ字状のどちらの溝に沿うかは、駆動軸軸４の回転方向による。
【０００４】
図３に示すように、鋼球１の押し下げと連動して、ハンマー２が駆動軸４上を押し下げられることで、上記ハンマー２とアンビル５の噛合が外れる。この時ハンマー２は回転運動をしているのに対して、アンビル５はその回転運動を停止した状態となる。ハンマー２はコイル状のスプリング６による押し戻しによって再びアンビル５と噛合するのだが、その際に、ハンマー２は停止したアンビル５に対して自らの回転による打撃を与える。このようにして、ねじ締め等の作業中にある一定以上の荷重が生じた場合には、打撃により更に強力なトルクを発生させることができる。
【０００５】
従来の構成のインパクト回転工具においても、このように鋼球を介することで、ねじを締め付け又は緩める際の打撃を実現するのだが、使用中にコイル状のスプリングが略密接状態になるまでハンマーが引き下げられた場合には、鋼球が容易に脱落し得る状態になるという問題点があった。というのも、鋼球をカム溝及びハンマー溝に挿入する為には、ハンマーをスプリングが略密接状態になるまで引き下げた状態にし、その後に鋼球を挿入する方法を採るからである。
【０００６】
特許文献１に記載のものにおいては、上記問題点を解決する為に鋼球挿入後に押上ピン等を挿入することで、コイルスプリングの受座をスプリングの密着方向へと押上げ、ハンマーの後退を制限することで鋼球の脱落を阻止することを特徴としていた。ところが上記構成のものでは、確かに鋼球の脱落は阻止できるものの、その為に要する部品点数が多くなり、組立工程が複雑となる。また補修性も低くならざるを得ず、且つ、押上ピンの抜け落ち等の二次トラブルの発生も予想される。
【特許文献１】特開平５−２２８８４９号公報
【発明の開示】
【発明が解決しようとする課題】
【０００７】
本発明は上記の点に鑑みてなされたものであり、確実に鋼球脱落を防止するものであって、且つ、安価で、組立性に優れたインパクト回転工具を提供することを課題とするものである。
【課題を解決するための手段】
【０００８】
上記課題を解決するために本発明を、アンビルがある一定以上の荷重に達した場合に駆動軸の回転運動をハンマーの後退運動に変換する為のカム溝を駆動軸に、ハンマー溝をハンマーに、鋼球を上記カム溝及びハンマー溝に嵌合するように夫々設けると共に、ハンマー後退によりアンビルとの噛合を外した後に再び打撃を伴ってハンマーとアンビルを噛合させる為のスプリングを設け、更に上記部品をハウジングで覆ったインパクト回転工具において、一定以上のハンマー後退によって鋼球がカム溝及びハンマー溝から脱落するのを防止する為のストッパーを、ハンマー後方に配した内装部品から該ハンマーに向けて駆動軸と平行に突設することで、鋼球組み込み時のハンマー位置とアンビル噛合時のハンマー位置の間にて上記内装部品と一体にストッパーを設けることを特徴とする鋼球脱落を防止したインパクト回転工具とする。
【０００９】
このようにすることで、ハンマーが鋼球脱落位置まで後退する前にストッパーがハンマー後部を係止するので、鋼球が脱落するのを確実に防止することができる。またストッパーをハウジングに内装した部品と一体化して設けたことで、特別に部材を追加する必要もなく、簡単な組立工程によって鋼球の脱落を確実に防止することができる。
【００１０】
また上記ストッパーを、その全体でハンマー後部を受けるようなリング状に形成することで、ハンマーとの衝突によって受けるエネルギーがストッパーの特定の箇所に集中することを防ぐことができる。
【００１１】
また上記ストッパーは、スプリングの外周を囲むように形成する。
【発明の効果】
【００１２】
本発明は、ハンマーが鋼球脱落位置まで後退する前にストッパーがハンマー後部を係止するので、鋼球の脱落を確実に防止することができる。
【００１３】
また、ストッパーを内装部品と一体化して形成することで、特別に部品を組み付ける必要もなくなるので、優れた組立性によって、且つ、低コストで商品を提供することができる。
【００１４】
更に、内装部品から突設されるストッパーをリング状に形成することより、ストッパーの一部に応力が集中して変形や破損が生じることを防止し、大きな荷重に耐えることのできるストッパーとすることができる。
【発明を実施するための最良の形態】
【００１５】
本発明を添付図面に示す実施形態に基づいて説明する。本発明のインパクト回転工具は、ねじ類を締め付け又は緩める際に一定以上の荷重が生じた場合に、打撃を行なうことで更に強大なトルクを発生させるものであるが、上記構成については従来の技術の説明において既に述べているので以下に簡単に述べると共に、内装した鋼球１の脱落を防止する為の構成については詳細な説明をおこなう。
【００１６】
図１は本発明の実施の形態における一例を示している。図に示すようにハンマー２の後方に配した内装部品１２から、ハンマー２に向けて駆動軸４と平行にストッパー１０を突設している。ハンマー２が後述の鋼球脱落位置８へと達する前に、その後部を上記ストッパー１０により係止するので、鋼球１の脱落を防止することができる。
【００１７】
なお上記ストッパー１０は、図示の如くスプリング６の外周を囲むように形成されており、その全体でハンマー２後部を受けるようなリング状に形成することが好適である。
【００１８】
図２〜５は本発明の実施の形態における他例を示す縦断面図であり、図６は図５中のＡ−Ａ線断面図である。
【００１９】
図２はハンマー２がアンビル５と噛合することで駆動軸４の回転運動をアンビル５に伝達している状態であり、鋼球１を介してハンマー２を後退させる力が加わることで図２に示すようにハンマー２は後退し、アンビル５との噛合いが外れる。この状態ではハンマー２の後方に設けたコイル状のスプリング６はまだ密着状態に至っておらず、従って鋼球１も脱落する状態にない。
【００２０】
仮に、ストッパー１０を設けない状態で、スプリング６が密着状態となるまでハンマー２が後退したとすると、スプリング６及びハンマー２は図４の点線にて示した位置に達する。このときハンマー２の後部は鋼球脱落位置８へと至る。
【００２１】
しかし本例では、鋼球１組み込み時のハンマー２の位置とアンビル５噛合時のハンマー２の位置との間で、ハウジング９内面から駆動軸４と垂直方向にストッパー１０を突設している。従って、図５に示すように上記ストッパー１０がハンマー２の後部を係止することで、ハンマー２の鋼球脱落位置８への到達を防止している。更にストッパー１０において、図６にも示すようにハンマー２の後退方向に補強用リブ１４を突設することで、ストッパー１０の強度を増大させている。
【００２２】
図７は本発明の実施の形態における更に他の例であり、図８は図７中のＢ−Ｂ線断面図である。ハウジング９内面の対向する位置から１対のストッパー１０が、駆動軸４と垂直方向に突設しており、上記ストッパー１０がハンマー２の後部を係止することで、ハンマー２の鋼球脱落位置８への到達を防止している。
【図面の簡単な説明】
【００２３】
【図１】本発明の実施の形態における一例を示す縦断面図である。
【図２】本発明の実施の形態における他例を示す縦断面図であり、ハンマーとアンビルが噛合した状態である。
【図３】他例を示す縦断面図であり、ハンマーが後退した状態である。
【図４】他例を示す縦断面図であり、ハンマーがストッパーと係止せず鋼球脱落位置にまで後退した状態を示している。
【図５】他例を示す縦断面図であり、ハンマーがストッパーと当接した状態である。
【図６】図５中のＡ−Ａ線断面図である。
【図７】本発明の実施の形態における更に他の例を示す縦断面図である。
【図８】図７中のＢ−Ｂ線断面図である。
【符号の説明】
【００２４】
１  鋼球
２  ハンマー
２ａ  ハンマー溝
４  駆動軸
４ａ  カム溝
５  アンビル
６  スプリング
８  鋼球脱落位置
９  ハウジング
１０  ストッパー
１２  内装部品
【図１】
2006231516.tif 000003
【図２】
2006231516.tif 000004
【図３】
2006231516.tif 000005
【図４】
2006231516.tif 000006
【図５】
2006231516.tif 000007
【図６】
2006231516.tif 000008
【図７】
2006231516.tif 000009
【図８】
2006231516.tif 000010